(57)【要約】      （修正有）【課題】ＭＩＭＯ伝送方式で用いられる受信装置において、全ての送信信号の組み合わせのパターンを識別することを可能とする。【解決手段】送信装置１０は、送信対象のデータに対して所定の変調方式によるキャリア変調処理を施すように構成されているキャリア変調部１０Ｃと、キャリア変調部１０Ｃによってキャリア変調処理が施された信号を複数の送信アンテナに対応する送信系統に分割するように構成されている分割部１０Ｄと、分割された各送信系統の信号を構成する全ての情報を含むように各送信系統の信号を変換する拡散処理を行うように構成されている送信アンテナ間拡散部１０Ｅと、送信アンテナ間拡散部１０Ｅによって送信アンテナ間拡散処理が行われた各送信系統の信号に対して所定処理を施すことによって生成された送信信号のそれぞれを複数の送信アンテナを介して送信するように構成されている送信部１１Ｉ，１２Ｉとを具備する。【選択図】図１
2015070332.tif 000002
【特許請求の範囲】
【請求項１】
複数の送信アンテナを備え、送信対象のデータの送信信号のそれぞれを該複数の送信アンテナから送信するように構成されているＭＩＭＯ伝送方式で用いられる送信装置であって、
前記送信対象のデータに対して所定の変調方式によるキャリア変調処理を施すように構成されているキャリア変調部と、
前記キャリア変調部によってキャリア変調処理が施された信号を、前記複数の送信アンテナに対応する送信系統に分割するように構成されている分割部と、
分割された各送信系統の信号を構成する全ての情報を含むように該各送信系統の信号を変換する送信アンテナ間拡散処理を行うように構成されている送信アンテナ間拡散部と、
前記送信アンテナ間拡散部によって送信アンテナ間拡散処理が行われた前記各送信系統の信号に対して所定処理を施すことによって生成された前記送信信号のそれぞれを前記複数の送信アンテナを介して送信するように構成されている送信部とを具備することを特徴とする送信装置。
【請求項２】
２つの送信アンテナが備えられており、
前記分割部は、前記キャリア変調部によってキャリア変調処理が施された信号を、前記２つの送信アンテナに対応する２つの送信系統に分割するように構成されており、
前記送信アンテナ間拡散部は、以下の（式Ａ）によって、前記２つの送信系統の信号に対して送信アンテナ間拡散処理を行うように構成されていることを特徴とする請求項１に記載の送信装置。
【数Ａ】
2015070332.tif 000006
【請求項３】
２つの送信アンテナが備えられており、
前記分割部は、前記キャリア変調部によってキャリア変調処理が施された信号を、前記２つの送信アンテナに対応する２つの送信系統に分割するように構成されており、
前記送信アンテナ間拡散部は、以下の（式Ｂ）によって、前記２つの送信系統の各々における２つキャリア分の信号に対して送信アンテナ間拡散処理を行うように構成されていることを特徴とする請求項１に記載の送信装置。
【数Ｂ】
2015070332.tif 000007
【請求項４】
４つの送信アンテナが備えられており、
前記分割部は、前記キャリア変調部によってキャリア変調処理が施された信号を、前記４つの送信アンテナに対応する４つの送信系統に分割するように構成されており、
前記送信アンテナ間拡散部は、以下の（式Ｃ）によって、前記４つの送信系統の信号に対して送信アンテナ間拡散処理を行うように構成されていることを特徴とする請求項１に記載の送信装置。
【数Ｃ】
2015070332.tif 000008
【発明の詳細な説明】
【技術分野】
【０００１】
本発明は、送信装置に関する。
【背景技術】
【０００２】
従来から、地上デジタル放送等の無線伝送技術の１つとして、複数の送信アンテナ及び複数の受信アンテナを用いる多入力多出力（ＭＩＭＯ：Ｍｕｌｔｉｐｌｅ  Ｉｎｐｕｔ  Ｍｕｌｔｉｐｌｅ  Ｏｕｔｐｕｔ）方式の送受信技術が知られている。
【０００３】
図９（ａ）に、ＭＩＭＯ伝送方式で用いられる送信装置の機能ブロックの一例を示す。
【０００４】
図９（ａ）に示すように、かかる送信装置は、キャリア変調処理が施された信号を２つの送信系統に分割し、各送信系等の信号に対して、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレーム化処理やＩＦＦＴ（Ｉｎｖｅｒｓｅ  Ｆａｓｔ  Ｆｏｕｒｉｅｒ  Ｔｒａｎｓｆｏｒｍ）処理やＧＩ（Ｇｕａｒｄ  Ｉｎｔｅｒｖａｌ）付加処理を施した後、送信アンテナ＃１及び＃２を介して送信するように構成されている。
【０００５】
すなわち、２つの送信アンテナ＃１及び＃２からは、異なる映像音声データを含む送信信号が送信されるように構成されている。
【０００６】
一方、図９（ｂ）に、ＭＩＭＯ伝送方式で用いられる受信装置の機能ブロックの一例を示す。
【０００７】
図９（ｂ）に示すように、かかる受信装置は、２つの受信アンテナ＃１及び＃２を介して受信した受信信号に対して、ＧＩ除去処理やＦＦＴ処理や伝搬路推定処理を施した後、２つの伝送路推定値Ｈ及び受信信号に基づいて、ＱＲ分解やＬＬＲ（Ｌｏｇ  Ｌｉｋｅｌｉｈｏｏｄ  Ｒａｔｅ、対数尤度比）算出等の信号分離処理を行い、かかるＬＬＲに基づいて、誤り訂正処理を行うように構成されている。
【０００８】
ここで、ＭＩＭＯ伝送方式では、送信アンテナ＃１及び＃２によって送信される送信信号をｘ１及びｘ２とし、受信アンテナ＃１及び＃２によって受信される受信信号をｙ１及びｙ２とすると、図９（ｃ）に示す式が成立する。
【０００９】
ここで、ｈ１１は、送信アンテナ＃１と受信アンテナ＃１との間の伝搬路であり、ｈ１２は、送信アンテナ＃２と受信アンテナ＃１との間の伝搬路であり、ｈ２１は、送信アンテナ＃１と受信アンテナ＃２との間の伝搬路であり、ｈ２２は、送信アンテナ＃２と受信アンテナ＃２との間の伝搬路である。
【先行技術文献】
【非特許文献】
【００１０】
【非特許文献１】「回転型シンボルマッピングをＩＳＤＢ-Ｔに適用した場合の一検討」、成清善一他、電子情報通信学会総合大会、２００９年
【発明の概要】
【発明が解決しようとする課題】
【００１１】
上述のように、ＭＩＭＯ伝送方式では、受信アンテナ＃１によって受信される受信信号ｙ１は、ｙ１＝ｈ１１ｘ１＋ｘ２ｈ１２となり、受信アンテナ＃２によって受信される受信信号ｙ２は、ｙ２＝ｈ２１ｘ１＋ｘ２ｈ２２となる。
【００１２】
ここで、伝搬路ｈ１１及びｈ１２が同じ場合（例えば、伝搬路ｈ１１及びｈ１２が共に１である場合）、受信アンテナ＃１及び＃２によって受信される受信信号ｙ１は、ｙ１＝ｘ１＋ｘ２となる。
【００１３】
また、キャリア変調方式としてＱＰＳＫが用いられる場合、図１０（ａ）に示すように、送信アンテナ＃１/＃２の各々から４つのパターン（００）、（０１）、（１０）、（１１）の送信信号が送信され得るため、本来であれば、送信アンテナ＃１及び＃２によって送信される送信信号の組み合わせとしては、４×４＝１６のパターンが存在し得る。
【００１４】
ここで、パターン（００）の送信信号のＩＱ平面における座標位置は、（１，１）であり、パターン（１０）の送信信号のＩＱ平面における座標位置は、（−１，１）であり、パターン（１１）の送信信号のＩＱ平面における座標位置は、（−１，−１）であり、パターン（０１）の送信信号のＩＱ平面における座標位置は、（１，−１）である。
【００１５】
しかしながら、かかる場合、図１０（ｂ）及び図１０（ｃ）に示すように、受信アンテナ＃１及び＃２の各々は、９パターンの受信信号しか検出することができないという問題点があった。
【００１６】
例えば、送信信号ｘ１が（００）（ＩＱ平面における座標位置（１，１））であり、送信信号ｘ２＝（１１）（ＩＱ平面における座標位置（−１，−１））である場合、受信アンテナ＃１及び＃２の各々において検出される受信信号ｙ１及びｙ２の座標位置は（０，０）となる（ｙ１及びｙ２＝１−１＋１−１）。
【００１７】
また、送信信号ｘ１が（０１）（ＩＱ平面における座標位置（１，−１））であり、送信信号ｘ２＝（１０）（ＩＱ平面における座標位置（−１，１））である場合、受信アンテナ＃１及び＃２の各々において検出される受信信号ｙ１及びｙ２の座標位置は（０，０）となる（ｙ１及びｙ２＝１−１−１＋１）。
【００１８】
また、送信信号ｘ１が（１０）（ＩＱ平面における座標位置（−１，１））であり、送信信号ｘ２＝（０１）（ＩＱ平面における座標位置（１，−１））である場合、受信アンテナ＃１及び＃２の各々において検出される受信信号ｙ１及びｙ２の座標位置は（０，０）となる（ｙ１及びｙ２＝−１＋１＋１−１）。
【００１９】
例えば、送信信号ｘ１が（１１）（ＩＱ平面における座標位置（−１，−１））であり、送信信号ｘ２＝（００）（ＩＱ平面における座標位置（１，１））である場合、受信アンテナ＃１及び＃２の各々において検出される受信信号ｙ１及びｙ２の座標位置は（０，０）となる（ｙ１及びｙ２＝−１＋１−１＋１）。
【００２０】
これは、同一の受信信号ｙ１及びｙ２の座標位置（０，０）から、４つの送信アンテナ＃１及び＃２によって送信される送信信号の組み合わせのパターンが考えられるということである。かかる場合、受信装置は、受信Ｃ/Ｎ（Ｃａｒｒｉｅｒ  ｔｏ  Ｎｏｉｚｅ  ｒａｔｉｏ）＝∞であっても、上述の送信信号の組み合わせのパターンを識別することができない。
【００２１】
そこで、本発明は、上述の課題に鑑みてなされたものであり、ＭＩＭＯ伝送方式で用いられる受信装置において、全ての送信信号の組み合わせのパターンを識別することを可能とする送信装置を提供することを目的とする。
【課題を解決するための手段】
【００２２】
本発明の第１の特徴は、複数の送信アンテナを備え、送信対象のデータの送信信号のそれぞれを該複数の送信アンテナから送信するように構成されているＭＩＭＯ伝送方式で用いられる送信装置であって、前記送信対象のデータに対して所定の変調方式によるキャリア変調処理を施すように構成されているキャリア変調部と、前記キャリア変調部によってキャリア変調処理が施された信号を、前記複数の送信アンテナに対応する送信系統に分割するように構成されている分割部と、分割された各送信系統の信号を構成する全ての情報を含むように該各送信系統の信号を変換する送信アンテナ間拡散処理を行うように構成されている送信アンテナ間拡散部と、前記送信アンテナ間拡散部によって送信アンテナ間拡散処理が行われた前記各送信系統の信号に対して所定処理を施すことによって生成された前記送信信号のそれぞれを前記複数の送信アンテナを介して送信するように構成されている送信部とを具備することを要旨とする。
【発明の効果】
【００２３】
以上説明したように、本発明によれば、ＭＩＭＯ伝送方式で用いられる受信装置において、全ての送信信号の組み合わせのパターンを識別することを可能とする送信装置を提供することができる。
【図面の簡単な説明】
【００２４】
【図１】本発明の第１の実施形態に係る送信装置の機能ブロック図である。
【図２】本発明の第１の実施形態に係る送信装置によって行われる送信アンテナ間拡散処理について説明するための図である。
【図３】本発明の第１の実施形態に係る送信装置によって行われる送信アンテナ間拡散処理について説明するための図である。
【図４】本発明の第２の実施形態に係る送信装置の機能ブロック図である。
【図５】本発明の第２の実施形態に係る送信装置によって行われる送信アンテナ間拡散処理について説明するための図である。
【図６】本発明の第２の実施形態に係る送信装置によって行われる送信アンテナ間拡散処理について説明するための図である。
【図７】本発明の第３の実施形態に係る送信装置の機能ブロック図である。
【図８】本発明の変更例に係る送信装置によって行われる送信アンテナ間拡散処理について説明するための図である。
【図９】従来技術を説明するための図である。
【図１０】従来技術を説明するための図である。
【発明を実施するための形態】
【００２５】
（本発明の第１の実施形態）
図１乃至図３を参照して、本発明の第１の実施形態に係る送信装置１０について説明する。
【００２６】
本実施形態に係るデジタル放送システムは、次世代地上放送方式に対応するデジタル放送システムであって、図１に示す送信装置１０及び受信装置を具備している。例えば、送信装置１０は、放送局に設置され、受信装置は、各家庭等に設置されることが想定される。
【００２７】
また、本実施形態に係る送信装置１０は、２つの送信アンテナ＃１/＃２を備え、ＭＩＭＯ伝送方式で用いられるように構成されている、すなわち、送信対象のデータの送信信号のそれぞれを２つの送信アンテナ＃１/＃２から送信するように構成されている。
【００２８】
具体的には、図１に示すように、本実施形態に係る送信装置１０は、誤り訂正外符号符号化部１０Ａと、誤り訂正内符号符号化部１０Ｂと、キャリア変調部１０Ｃと、分割部１０Ｄと、送信アンテナ間拡散部１０Ｅと、ＯＦＤＭフレーム化部１１Ｆ/１２Ｆと、ＩＦＦＴ部１１Ｇ/１２Ｇと、ＧＩ付加部１１Ｈ/１２Ｈと、送信部１１Ｉ/１２Ｉとを具備している。
【００２９】
誤り訂正外符号符号化部１０Ａは、入力された映像音声データ（送信対象のデータ）に対して、リードソロモン符号やＢＣＨ符号等の外符号を用いて符号化処理を施すように構成されている。
【００３０】
誤り訂正内符号符号化部１０Ｂは、誤り訂正外符号符号化部１０Ａから入力された符号化データに対して、所定の符号化率（例えば、１/２）にて、ＬＤＰＣ符号やターボ符号や畳み込み符号等の内符号を用いて符号化処理を施すように構成されている。
【００３１】
キャリア変調部１０Ｃは、誤り訂正内符号符号化部１０Ｂから入力された符号化データに対して、ＱＰＳＫや１６ＱＡＭ等の所定の変調方式によるキャリア変調処理を施し、かかる符号化データをＩＱ軸のコンスタレーション上にマッピングするように構成されている。
【００３２】
分割部１０Ｄは、キャリア変調部１０Ｃから入力されたデータ（すなわち、キャリア変調部１０によってキャリア変調を施されＩＱ軸のコンスタレーション上にマッピングされたデータ）を、２つの送信アンテナ＃１/＃２に対応する異なる送信系統ＴＸ１/ＴＸ２の信号に分割するように構成されている。
【００３３】
送信アンテナ間拡散部１０Ｅは、分割部１０Ｄから入力された２つの送信系統ＴＸ１/ＴＸ２の信号に対して、送信アンテナ間拡散処理を施すように構成されている。
【００３４】
ここで、送信アンテナ間拡散処理は、各送信系統ＴＸ１/ＴＸ２の信号を構成する全ての情報（キャリア変調処理が施された後の各送信系統ＴＸ１/ＴＸ２の信号を構成するＩ軸及びＱ軸の値の全て）を含むように各送信系統ＴＸ１/ＴＸ２の信号を変換する処理である。
【００３５】
例えば、図１、図２（ａ）及び図２（ｂ）に示すように、送信アンテナ間拡散部１０Ｅは、送信系統ＴＸ１の入力信号Ａ及び送信系統ＴＸ２の入力信号Ｂを、送信系統ＴＸ１の出力信号Ｘ及び送信系統ＴＸ２の出力信号Ｙに変換するように構成されている。ここで、入力信号Ａ及び入力信号Ｂは、同一周波数の信号であるものとする。
【００３６】
具体的には、送信アンテナ間拡散部１０Ｅは、図３（ａ）又は図３（ｂ）に示す式を用いて、送信系統ＴＸ１の入力信号Ａ及び送信系統ＴＸ２の入力信号Ｂを、送信系統ＴＸ１の出力信号Ｘ及び送信系統ＴＸ２の出力信号Ｙに変換するように構成されている。
【００３７】
図３（ａ）及び図３（ｂ）に示す式において、α及びβは、キャリア変調処理が施された後の送信系統ＴＸ１の入力信号Ａを構成するＩ軸及びＱ軸の値であり、γ及びδは、キャリア変調処理が施された後の送信系統ＴＸ２の入力信号Ｂを構成するＩ軸及びＱ軸の値である。すなわち、かかる送信系統ＴＸ１の入力信号Ａは、（α，β）と表現でき、かかる送信系統ＴＸ２の入力信号Ｂは、（γ，δ）と表現できる。
【００３８】
図３（ａ）及び図３（ｂ）に示す式から分かるように、送信系統ＴＸ１の出力信号Ｘは、上述の送信系統ＴＸ１の入力信号Ａを構成するＩ軸及びＱ軸の値α/βと、上述の送信系統ＴＸ２の入力信号Ｂを構成するＩ軸及びＱ軸の値γ/δとを含んでいる。
【００３９】
同様に、送信系統ＴＸ２の出力信号Ｙも、上述の送信系統ＴＸ１の入力信号Ａを構成するＩ軸及びＱ軸の値α/βと、上述の送信系統ＴＸ２の入力信号Ｂを構成するＩ軸及びＱ軸の値γ/δとを含んでいる。
【００４０】
ＯＦＤＭフレーム化部１１Ｆは、送信アンテナ間拡散部１０Ｅから入力された送信系統ＴＸ１の出力信号Ｘに対して、パイロット信号等を付加すると共に、予め設定された周波数の位置に配置することによって、ＯＦＤＭフレームを生成するように構成されている。
【００４１】
同様に、ＯＦＤＭフレーム化部１２Ｆは、送信アンテナ間拡散部１０Ｅから入力された送信系統ＴＸ２の出力信号Ｙに対して、パイロット信号等を付加すると共に、予め設定された周波数の位置に配置することによって、ＯＦＤＭフレームを生成するように構成されている。
【００４２】
ＩＦＦＴ部１１Ｇは、ＯＦＤＭフレーム化部１１Ｆから入力されたＯＦＤＭ信号に対して、ＩＦＦＴ処理を施すことによって、周波数軸データから時間軸データに変換するように構成されており、ＩＦＦＴ部１２Ｇは、ＯＦＤＭフレーム化部１２Ｆから入力されたＯＦＤＭ信号に対して、ＩＦＦＴ処理を施すことによって、周波数軸データから時間軸データに変換するように構成されている。
【００４３】
ＧＩ付加部１１Ｈは、ＩＦＦＴ部１１Ｇから入力された時間軸データに変換されたＯＦＤＭ信号に対してＧＩ付加処理を施すように構成されており、ＧＩ付加部１２Ｈは、ＩＦＦＴ部１２Ｇから入力された時間軸データに変換されたＯＦＤＭ信号に対してＧＩ付加処理を施すように構成されている。
【００４４】
送信部１１Ｉは、送信系統ＴＸ１の信号に対して所定処理（ＯＦＤＭフレーム化処理やＩＦＦＴ処理やＧＩ付加処理等）を施すことによって生成された送信信号を送信アンテナ＃１を介して送信するように構成されており、送信部１２Ｉは、送信系統ＴＸ２の信号に対して所定処理（ＯＦＤＭフレーム化処理やＩＦＦＴ処理やＧＩ付加処理等）を施すことによって生成された送信信号を送信アンテナ＃２を介して送信するように構成されている。
【００４５】
なお、本実施形態に係る送信装置１０では、時間インターリーブ処理や周波数インターリーブ処理等を行う機能が含まれていないが、これらの機能が含まれていてもよい。
【００４６】
本実施形態に係る送信装置１０によれば、ＭＩＭＯ伝送方式で用いられる受信装置において、全ての送信信号の組み合わせのパターンを識別することを可能となる。
【００４７】
ここで、本実施形態に係る送信装置１０によれば、送信アンテナ＃１/＃２のそれぞれで、各送信系統ＴＸ１/ＴＸ２の信号を構成する全ての情報α/β/γ/δを送信するように構成されているため、伝送レートは変わらない。
【００４８】
なお、本実施形態に係る送信装置１０によって送信される送信信号は、２つの受信アンテナを備えており、ＭＩＭＯ伝送方式に対応可能な従来の受信装置によって受信され得る。
【００４９】
（本発明の第２の実施形態）
図４乃至図６を参照して、本発明の第２の実施形態に係る送信装置１０について、上述の第１の実施形態に係る送信装置１０との相違点に着目して説明する。
【００５０】
本実施形態に係る送信装置１０では、図４、図５（ａ）及び図５（ｂ）に示すように、送信アンテナ間拡散部１０Ｅ１は、２つの送信系統ＴＸ１/ＴＸ２の各々における２つキャリア分の信号Ａ/Ｂ/Ｃ/Ｄに対して送信アンテナ間拡散処理を施すように構成されている。
【００５１】
すなわち、送信アンテナ間拡散部１０Ｅ１は、送信系統ＴＸ１の入力信号Ａ/Ｂ及び送信系統ＴＸ２の入力信号Ｃ/Ｄを、送信系統ＴＸ１の出力信号Ｘ/Ｙ及び送信系統ＴＸ２の出力信号Ｚ/Ｗに変換するように構成されている。
【００５２】
例えば、送信アンテナ間拡散部１０Ｅ１は、図６に示す式を用いて、送信系統ＴＸ１の入力信号Ａ/Ｂ及び送信系統ＴＸ２の入力信号Ｃ/Ｄを、送信系統ＴＸ１の出力信号Ｘ/Ｙ及び送信系統ＴＸ２の出力信号Ｚ/Ｗに変換するように構成されている。
【００５３】
その結果、送信系統ＴＸ１の出力信号Ｘ/Ｙ及び送信系統ＴＸ２の出力信号Ｚ/Ｗは、送信系統ＴＸ１の入力信号Ａ/Ｂ及び送信系統ＴＸ２の入力信号Ｃ/Ｄを構成する全ての情報を含むことになる。
【００５４】
（本発明の第３の実施形態）
図５乃至図７を参照して、本発明の第３の実施形態に係る送信装置１０について、上述の第１の実施形態に係る送信装置１０との相違点に着目して説明する。
【００５５】
本実施形態に係る送信装置１０では、図７に示すように、分割部１０Ｄは、キャリア変調部１０Ｃによってキャリア変調処理が施された信号を４つの送信アンテナ＃１/＃２/＃３/＃４に対応する４つの送信系統ＴＸ１/ＴＸ２/ＴＸ３/ＴＸ４に分割するように構成されている。
【００５６】
また、本実施形態に係る送信装置１０では、図５（ａ）、図５（ｂ）及び図７に示すように、送信アンテナ間拡散部１０Ｅ２は、図６に示す式によって、４つの送信系統ＴＸ１/ＴＸ２/ＴＸ３/ＴＸ４の信号Ａ/Ｂ/Ｃ/Ｄ（１キャリア分の信号）に対して送信アンテナ間拡散処理を行うように構成されている。
【００５７】
すなわち、送信アンテナ間拡散部１０Ｅ２は、図６に示す式を用いて、送信系統ＴＸ１の入力信号Ａ、送信系統ＴＸ２の入力信号Ｂ、送信系統ＴＸ３の入力信号Ｃ及び送信系統ＴＸ４の入力信号Ｄを、送信系統ＴＸ１の出力信号Ｘ、送信系統ＴＸ２の出力信号Ｙ、送信系統ＴＸ３の出力信号Ｚ及び送信系統ＴＸ４の出力信号Ｗに変換するように構成されている。
【００５８】
その結果、送信系統ＴＸ１/ＴＸ２/ＴＸ３/ＴＸ４の出力信号Ｘ/Ｙ/Ｚ/Ｗは、送信系統ＴＸ１/ＴＸ２/ＴＸ３/ＴＸ４の入力信号Ａ/Ｂ/Ｃ/Ｄを構成する全ての情報を含むことになる。
【００５９】
（変更例）
図８を参照して、本発明の変更例に係る送信装置１０について、上述の第１〜第３の実施形態に係る送信装置１０との相違点に着目して説明する。
【００６０】
上述の実施形態に係る送信装置１０では、分割部１０Ｄが、キャリア変調部１０Ｃから入力されたデータを２つ又は４つの送信系統の信号に分割し、送信アンテナ間拡散部１０Ｅ（或いは、１０Ｅ１/１０Ｅ２。以下、同じ）が、これらの送信系統の信号の各々に対して送信アンテナ間拡散処理を施すように構成されているが、本発明に係る送信装置１０は、これらのケースに限定されるものではない、すなわち、本発明に係る送信装置１０において、送信アンテナ間拡散部１０Ｅは、８以上の送信系統の信号に対して送信アンテナ間拡散処理を施すことができる。
【００６１】
すなわち、上述の実施形態に係る送信装置１０では、送信アンテナ間拡散部１０Ｅは、図８に示す行列式Ｒ２や行列式Ｒ４を用いて、上述の送信系統の信号の各々に対して送信アンテナ間拡散処理を施すように構成されているが、本発明に係る送信装置１０は、これらのケースに限定されるものではない。
【００６２】
例えば、図８に示すように、送信アンテナ間拡散部１０Ｅは、行列式Ｒ８を用いて、８つの送信系統の信号（或いは、４つの送信系統の各々における２チャネル分の信号や、２つの送信系統の各々における４チャネル分の信号等）の各々に対して送信アンテナ間拡散処理を施すように構成されていてもよい。
【００６３】
図８に示すように、かかる行列式Ｒ８は、上述の行列式Ｒ４を用いて生成され、かかる行列式Ｒ４は、上述の行列式Ｒ２を用いて生成され得る。このように、２（ｎ＋１）個の送信系統の信号に対する送信アンテナ間拡散処理で用いられる行列式Ｒ２（ｎ＋１）は、２ｎ個の送信系統の信号に対する送信アンテナ間拡散処理で用いられる行列式Ｒ２ｎを用いて生成され得る。
【００６４】
以上に述べた本実施形態の特徴は、以下のように表現されていてもよい。
【００６５】
本実施形態の第１の特徴は、複数の送信アンテナを備え、送信対象のデータの送信信号のそれぞれを複数の送信アンテナから送信するように構成されているＭＩＭＯ伝送方式で用いられる送信装置１０であって、送信対象のデータに対して所定の変調方式によるキャリア変調処理を施すように構成されているキャリア変調部１０Ｃと、キャリア変調部１０Ｃによってキャリア変調処理が施された信号を複数の送信アンテナに対応する送信系統に分割するように構成されている分割部１０Ｄと、分割された各送信系統の信号を構成する全ての情報を含むように各送信系統の信号を変換する送信アンテナ間拡散処理を行うように構成されている送信アンテナ間拡散部１０Ｅと、送信アンテナ間拡散部１０Ｅによって送信アンテナ間拡散処理が行われた各送信系統の信号に対して所定処理を施すことによって生成された送信信号のそれぞれを複数の送信アンテナを介して送信するように構成されている送信部１１Ｈとを具備することを要旨とする。
【００６６】
本実施形態の第１の特徴において、２つの送信アンテナ＃１/＃２が備えてられており、分割部１０Ｄは、キャリア変調部１０Ｃによってキャリア変調処理が施された信号を２つの送信アンテナ＃１/＃２に対応する２つの送信系統ＴＸ１/ＴＸ２に分割するように構成されており、送信アンテナ間拡散部１０Ｅは、以下の（式１）によって、２つの送信系統ＴＸ１/ＴＸ２の信号Ａ/Ｂに対して送信アンテナ間拡散処理を行うように構成されていてもよい。
【００６７】
【数１】
2015070332.tif 000003
【００６８】
本実施形態の第１の特徴において、２つの送信アンテナ＃１/＃２が備えてられており、分割部１０Ｄは、キャリア変調部１０Ｃによってキャリア変調処理が施された信号を２つの送信アンテナ＃１/＃２に対応する２つの送信系統ＴＸ１/ＴＸ２に分割するように構成されており、送信アンテナ間拡散部１０Ｅは、以下の（式２）によって、２つの送信系統ＴＸ１/ＴＸ２の各々における２つキャリア分の信号Ａ/Ｂ/Ｃ/Ｄに対して送信アンテナ間拡散処理を行うように構成されていてもよい。
【００６９】
【数２】
2015070332.tif 000004
【００７０】
本実施形態の第１の特徴において、４つの送信アンテナ＃１/＃２/＃３/＃４が備えてられており、分割部１０Ｄは、キャリア変調部１０Ｃによってキャリア変調処理が施された信号を４つの送信アンテナ＃１/＃２/＃３/＃４に対応する４つの送信系統ＴＸ１/ＴＸ２/ＴＸ３/ＴＸ４に分割するように構成されており、送信アンテナ間拡散部１０Ｅは、以下の（式３）によって、４つの送信系統ＴＸ１/ＴＸ２/ＴＸ３/ＴＸ４の信号Ａ/Ｂ/Ｃ/Ｄに対して送信アンテナ間拡散処理を行うように構成されていてもよい。
【００７１】
【数３】
2015070332.tif 000005
【００７２】
なお、上述の送信装置１０の動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、送信装置１０内に設けられていてもよい。また、かかる記憶媒体及びプロセッサは、ディスクリートコンポーネントとして送信装置１０内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
１０…送信装置
１０Ａ…誤り訂正外符号符号化部
１０Ｂ…誤り訂正内符号符号化部
１０Ｃ…キャリア変調部
１０Ｄ…分割部
１０Ｅ…送信アンテナ間拡散部
１１Ｆ、１２Ｆ、１３Ｆ、１４Ｆ…ＯＦＤＭフレーム化部
１１Ｇ、１２Ｇ，１３Ｇ、１４Ｇ…ＩＦＦＴ部
１１Ｈ、１２Ｈ、１３Ｈ、１４Ｈ…ＧＩ付加部
１１Ｉ、１２Ｉ、１３Ｉ、１４Ｉ…送信部
【図１】
2015070332.tif 000009
【図２】
2015070332.tif 000010
【図３】
2015070332.tif 000011
【図４】
2015070332.tif 000012
【図５】
2015070332.tif 000013
【図６】
2015070332.tif 000014
【図７】
2015070332.tif 000015
【図８】
2015070332.tif 000016
【図９】
2015070332.tif 000017
【図１０】
2015070332.tif 000018